(57)【要約】【課題】Ｆ値の明るい大口径中望遠レンズでありながら、前玉径とフォーカス群の重量が抑えられ、色収差が良好に補正された小型の撮像レンズ，それを備えた撮像光学装置及びデジタル機器を提供する。【解決手段】撮像レンズＬＮは、物体側から順に正の第１群Ｇｒ１と正の第２群Ｇｒ２を有する。第１群Ｇｒ１は、物体側から順に正正正負の第１〜第４レンズＬ１〜Ｌ４を有する。第２群Ｇｒ２を構成するレンズのうち、最も物体側のレンズが正レンズであり、少なくとも１枚が負レンズである。無限遠から近距離へのフォーカシングに際して、第１群Ｇｒ１が位置固定であり、少なくとも第２群Ｇｒ２が物体側へ移動する。条件式：Ｎｄ１ｍａｘ−Ｎｄ１ｍｉｎ＞０．１，νｄ１ｍａｘ−νｄ１ｍｉｎ＞１５（ｄ線に関する屈折率，アッベ数をＮｄ，νｄとすると、Ｎｄ１ｍａｘ，Ｎｄ１ｍｉｎ：第１群内の正レンズのＮｄの最大値，最小値、νｄ１ｍａｘ，νｄ１ｍｉｎ：第１群内の正レンズのνｄの最大値，最小値）を満足する。【選択図】図１
2016212288.tif 000002
【特許請求の範囲】
【請求項１】
物体側から順に、正パワーの第１群と、正パワーの第２群と、を少なくとも有し、
前記第１群が、物体側から順に、正パワーを有する第１レンズと、正パワーを有する第２レンズと、正パワーを有する第３レンズと、負パワーを有する第４レンズと、を少なくとも有し、
前記第２群を構成するレンズのうち、最も物体側のレンズが正レンズであり、少なくとも１枚が負レンズであり、
無限遠から近距離へのフォーカシングに際して、前記第１群が位置固定であり、少なくとも前記第２群が物体側へ移動し、
以下の条件式（１）及び（２）を満足することを特徴とする撮像レンズ；
Ｎｄ１ｍａｘ−Ｎｄ１ｍｉｎ＞０．１  …（１）
νｄ１ｍａｘ−νｄ１ｍｉｎ＞１５  …（２）
ただし、ｄ線に関する屈折率をＮｄとし、ｄ線に関するアッベ数をνｄとすると、
Ｎｄ１ｍａｘ：第１群内の正レンズのＮｄの最大値、
Ｎｄ１ｍｉｎ：第１群内の正レンズのＮｄの最小値、
νｄ１ｍａｘ：第１群内の正レンズのνｄの最大値、
νｄ１ｍｉｎ：第１群内の正レンズのνｄの最小値、
である。
【請求項２】
以下の条件式（３）を満足することを特徴とする請求項１記載の撮像レンズ；
φ２／φ＞１．０  …（３）
ただし、
φ２：第２群のパワー、
φ：全系のパワー、
である。
【請求項３】
以下の条件式（４）及び（５）を満足することを特徴とする請求項１又は２記載の撮像レンズ；
０．１＜φ１／φ＜１．０  …（４）
０＜φ１／φ２＜０．５  …（５）
ただし、
φ１：第１群のパワー、
φ２：第２群のパワー、
φ：全系のパワー、
である。
【請求項４】
以下の条件式（６）を満足することを特徴とする請求項１〜３のいずれか１項に記載の撮像レンズ；
Ｄ１Ｇｒ／Ｄ２Ｇｒ＞１．５  …（６）
ただし、Ｆ値を決定する絞りいっぱいに物体側からレンズへ入射する平行光束の直径をＦｎｏ光束径とすると、
Ｄ１Ｇｒ：第１群内の最大Ｆｎｏ光束径、
Ｄ２Ｇｒ：第２群内の最大Ｆｎｏ光束径、
である。
【請求項５】
以下の条件式（７）を満足することを特徴とする請求項１〜４のいずれか１項に記載の撮像レンズ；
１．４＜ＤＧ１Ｆ／ＩＭＧ＜１．８  …（７）
ただし、
ＤＧ１Ｆ：第１レンズの物体側面の有効半径、
ＩＭＧ：イメージサークルの有効半径、
である。
【請求項６】
前記第２群内に開口絞りを有することを特徴とする請求項１〜５のいずれか１項に記載の撮像レンズ。
【請求項７】
前記第２群の像側に第３群を更に有し、その第３群がフォーカシングに際して位置固定であることを特徴とする請求項１〜６のいずれか１項に記載の撮像レンズ。
【請求項８】
前記第３群内に以下の条件式（８）〜（１０）を満足する接合レンズを含むことを特徴とする請求項７記載の撮像レンズ；
−１．０＜Ｒ３／ｆ＜０  …（８）
ＮＬ３ｐ−ＮＬ３ｎ＞０  …（９）
−２０＜νＬ３ｐ−νＬ３ｎ＜０  …（１０）
ただし、
Ｒ３：接合面の曲率半径、
ｆ：全系の焦点距離、
ＮＬ３ｐ：条件式（８）を満足する接合面を持つ正レンズのｄ線に関する屈折率、
ＮＬ３ｎ：条件式（８）を満足する接合面を持つ負レンズのｄ線に関する屈折率、
νＬ３ｐ：条件式（８）を満足する接合面を持つ正レンズのｄ線に関するアッベ数、
νＬ３ｎ：条件式（８）を満足する接合面を持つ負レンズのｄ線に関するアッベ数、
である。
【請求項９】
前記第３レンズと前記第４レンズとで接合レンズが構成されており、以下の条件式（１１）及び（１２）を満足することを特徴とする請求項１〜８のいずれか１項に記載の撮像レンズ；
ＮＬ１ｐ−ＮＬ１ｎ＞０  …（１１）
−２０＜νＬ１ｐ−νＬ１ｎ＜０  …（１２）
ただし、
ＮＬ１ｐ：第３レンズのｄ線に関する屈折率、
ＮＬ１ｎ：第４レンズのｄ線に関する屈折率、
νＬ１ｐ：第３レンズのｄ線に関するアッベ数、
νＬ１ｎ：第４レンズのｄ線に関するアッベ数、
である。
【請求項１０】
前記第１群内の少なくとも１枚の負レンズが以下の条件式（１３）及び（１４）を満足することを特徴とする請求項１〜９のいずれか１項に記載の撮像レンズ；
（０．６４２５−θｇＦ）／νｄ＞０．００１５  …（１３）
νｄ＜５０  …（１４）
ただし、
θｇＦ：レンズ材料の部分分散比、
θｇＦ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【請求項１１】
以下の条件式（１５）を満足することを特徴とする請求項８記載の撮像レンズ；
−０．６＜φ３／φ＜０．６  …（１５）
ただし、
φ３：第３群のパワー、
φ：全系のパワー、
である。
【請求項１２】
前記第２群内に負レンズを１枚のみ含むことを特徴とする請求項１〜１１のいずれか１項に記載の撮像レンズ。
【請求項１３】
請求項１〜１２のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項１４】
請求項１３記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は撮像レンズ，撮像光学装置及びデジタル機器に関するものであり、更に詳しくは、被写体の映像を撮像素子（例えば、ＣＣＤ(Charge Coupled Device)型イメージセンサー，ＣＭＯＳ(Complementary Metal-Oxide Semiconductor)型イメージセンサー等の固体撮像素子）で取り込むレンズ交換式デジタルカメラに適したコンパクトで大口径の撮像レンズと、その撮像レンズ及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
近年、レンズ交換式カメラとしてデジタルカメラが一般的になっている。デジタルカメラでは、ユーザーがモニターで等倍の撮影画像を見ることが可能であるため、ＭＴＦ(Modulation Transfer Function)性能の向上や色収差の低減がより一層求められるようになってきている。しかし、中望遠レンズや望遠レンズでは、一般に焦点距離が伸びるほど色収差が増大する。また、焦点距離が伸びるほど手振れの影響が顕著となるので、早いシャッタースピードが必要となり、結果として、Ｆ値の明るいレンズ（Ｆ値＝１．０〜２．０）が望まれている。こういった要求に応えるため、レンズ交換式デジタルカメラ用の交換レンズとしての単焦点の大口径中望遠レンズが、特許文献１〜３で提案されている。
【先行技術文献】
【特許文献】
【０００３】
【特許文献１】特許０５５７８９４６号公報
【特許文献２】特開２０１３−０２５１５７号公報
【特許文献３】特許０５６０１５９８号公報
【発明の概要】
【発明が解決しようとする課題】
【０００４】
特許文献１，２で提案されている中望遠レンズでは、Ｆ値が明るく色収差も良好に補正されているが、前玉径とフォーカス群の重量が大きくなってしまうという課題がある。特許文献３で提案されている中望遠レンズでは、Ｆ値が１．４程度と明るく、フォーカス群の重量も抑えられているが、焦点距離が更に長くなると、色収差を十分に補正できなくなるという課題がある。また、フォーカス群の重量に加え移動量も大きくなってしまうため、結果としてフォーカス群の移動時間が延びてしまうという課題もある。
【０００５】
本発明はこのような状況に鑑みてなされたものであって、その目的は、Ｆ値の明るい大口径中望遠レンズでありながら、前玉径とフォーカス群の重量が抑えられ、色収差が良好に補正された小型の撮像レンズ，それを備えた撮像光学装置及びデジタル機器を提供することにある。
【課題を解決するための手段】
【０００６】
上記目的を達成するために、第１の発明の撮像レンズは、物体側から順に、正パワーの第１群と、正パワーの第２群と、を少なくとも有し、
前記第１群が、物体側から順に、正パワーを有する第１レンズと、正パワーを有する第２レンズと、正パワーを有する第３レンズと、負パワーを有する第４レンズと、を少なくとも有し、
前記第２群を構成するレンズのうち、最も物体側のレンズが正レンズであり、少なくとも１枚が負レンズであり、
無限遠から近距離へのフォーカシングに際して、前記第１群が位置固定であり、少なくとも前記第２群が物体側へ移動し、
以下の条件式（１）及び（２）を満足することを特徴とする。
Ｎｄ１ｍａｘ−Ｎｄ１ｍｉｎ＞０．１  …（１）
νｄ１ｍａｘ−νｄ１ｍｉｎ＞１５  …（２）
ただし、ｄ線に関する屈折率をＮｄとし、ｄ線に関するアッベ数をνｄとすると、
Ｎｄ１ｍａｘ：第１群内の正レンズのＮｄの最大値、
Ｎｄ１ｍｉｎ：第１群内の正レンズのＮｄの最小値、
νｄ１ｍａｘ：第１群内の正レンズのνｄの最大値、
νｄ１ｍｉｎ：第１群内の正レンズのνｄの最小値、
である。
【０００７】
第２の発明の撮像レンズは、上記第１の発明において、以下の条件式（３）を満足することを特徴とする。
φ２／φ＞１．０  …（３）
ただし、
φ２：第２群のパワー、
φ：全系のパワー、
である。
【０００８】
第３の発明の撮像レンズは、上記第１又は第２の発明において、以下の条件式（４）及び（５）を満足することを特徴とする。
０．１＜φ１／φ＜１．０  …（４）
０＜φ１／φ２＜０．５  …（５）
ただし、
φ１：第１群のパワー、
φ２：第２群のパワー、
φ：全系のパワー、
である。
【０００９】
第４の発明の撮像レンズは、上記第１〜第３のいずれか１つの発明において、以下の条件式（６）を満足することを特徴とする。
Ｄ１Ｇｒ／Ｄ２Ｇｒ＞１．５  …（６）
ただし、Ｆ値を決定する絞りいっぱいに物体側からレンズへ入射する平行光束の直径をＦｎｏ光束径とすると、
Ｄ１Ｇｒ：第１群内の最大Ｆｎｏ光束径、
Ｄ２Ｇｒ：第２群内の最大Ｆｎｏ光束径、
である。
【００１０】
第５の発明の撮像レンズは、上記第１〜第４のいずれか１つの発明において、以下の条件式（７）を満足することを特徴とする。
１．４＜ＤＧ１Ｆ／ＩＭＧ＜１．８  …（７）
ただし、
ＤＧ１Ｆ：第１レンズの物体側面の有効半径、
ＩＭＧ：イメージサークルの有効半径、
である。
【００１１】
第６の発明の撮像レンズは、上記第１〜第５のいずれか１つの発明において、前記第２群内に開口絞りを有することを特徴とする。
【００１２】
第７の発明の撮像レンズは、上記第１〜第６のいずれか１つの発明において、前記第２群の像側に第３群を更に有し、その第３群がフォーカシングに際して位置固定であることを特徴とする。
【００１３】
第８の発明の撮像レンズは、上記第７の発明において、前記第３群内に以下の条件式（８）〜（１０）を満足する接合レンズを含むことを特徴とする。
−１．０＜Ｒ３／ｆ＜０  …（８）
ＮＬ３ｐ−ＮＬ３ｎ＞０  …（９）
−２０＜νＬ３ｐ−νＬ３ｎ＜０  …（１０）
ただし、
Ｒ３：接合面の曲率半径、
ｆ：全系の焦点距離、
ＮＬ３ｐ：条件式（８）を満足する接合面を持つ正レンズのｄ線に関する屈折率、
ＮＬ３ｎ：条件式（８）を満足する接合面を持つ負レンズのｄ線に関する屈折率、
νＬ３ｐ：条件式（８）を満足する接合面を持つ正レンズのｄ線に関するアッベ数、
νＬ３ｎ：条件式（８）を満足する接合面を持つ負レンズのｄ線に関するアッベ数、
である。
【００１４】
第９の発明の撮像レンズは、上記第１〜第８のいずれか１つの発明において、前記第３レンズと前記第４レンズとで接合レンズが構成されており、以下の条件式（１１）及び（１２）を満足することを特徴とする。
ＮＬ１ｐ−ＮＬ１ｎ＞０  …（１１）
−２０＜νＬ１ｐ−νＬ１ｎ＜０  …（１２）
ただし、
ＮＬ１ｐ：第３レンズのｄ線に関する屈折率、
ＮＬ１ｎ：第４レンズのｄ線に関する屈折率、
νＬ１ｐ：第３レンズのｄ線に関するアッベ数、
νＬ１ｎ：第４レンズのｄ線に関するアッベ数、
である。
【００１５】
第１０の発明の撮像レンズは、上記第１〜第９のいずれか１つの発明において、前記第１群内の少なくとも１枚の負レンズが以下の条件式（１３）及び（１４）を満足することを特徴とする。
（０．６４２５−θｇＦ）／νｄ＞０．００１５  …（１３）
νｄ＜５０  …（１４）
ただし、
θｇＦ：レンズ材料の部分分散比、
θｇＦ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【００１６】
第１１の発明の撮像レンズは、上記第８の発明において、以下の条件式（１５）を満足することを特徴とする。
−０．６＜φ３／φ＜０．６  …（１５）
ただし、
φ３：第３群のパワー、
φ：全系のパワー、
である。
【００１７】
第１２の発明の撮像レンズは、上記第１〜第１１のいずれか１つの発明において、前記第２群内に負レンズを１枚のみ含むことを特徴とする。
【００１８】
第１３の発明の撮像光学装置は、上記第１〜第１２のいずれか１つの発明に係る撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。
【００１９】
第１４の発明のデジタル機器は、上記第１３の発明に係る撮像光学装置を備えることにより、被写体の静止画撮影，動画撮影のうちの少なくとも一方の機能が付加されたことを特徴とする。
【発明の効果】
【００２０】
本発明によれば、Ｆ値の明るい大口径中望遠レンズでありながら、前玉径とフォーカス群の重量が抑えられ、色収差が良好に補正された小型の撮像レンズ及び撮像光学装置を実現することができる。その撮像レンズ又は撮像光学装置をデジタル機器（例えばデジタルカメラ）に用いることによって、デジタル機器に対して高性能の画像入力機能を軽量・コンパクトに付加することが可能となる。
【図面の簡単な説明】
【００２１】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】第５の実施の形態（実施例５）のレンズ構成図。
【図６】実施例１の縦収差図。
【図７】実施例２の縦収差図。
【図８】実施例３の縦収差図。
【図９】実施例４の縦収差図。
【図１０】実施例５の縦収差図。
【図１１】実施例１の横収差図。
【図１２】実施例２の横収差図。
【図１３】実施例３の横収差図。
【図１４】実施例４の横収差図。
【図１５】実施例５の横収差図。
【図１６】撮像光学装置を搭載したデジタル機器の概略構成例を示す模式図。
【発明を実施するための形態】
【００２２】
以下、本発明に係る撮像レンズ，撮像光学装置及びデジタル機器を説明する。本発明に係る撮像レンズは、物体側から順に、正パワーの第１群と、正パワーの第２群と、を少なくとも有し（パワー：焦点距離の逆数で定義される量）、前記第１群が、物体側から順に、正パワーを有する第１レンズと、正パワーを有する第２レンズと、正パワーを有する第３レンズと、負パワーを有する第４レンズと、を少なくとも有し、前記第２群を構成するレンズのうち、最も物体側のレンズが正レンズであり、少なくとも１枚が負レンズである。そして、無限遠から近距離へのフォーカシングに際して、前記第１群が位置固定であり、少なくとも前記第２群が物体側へ移動し、以下の条件式（１）及び（２）を満足することを特徴としている。
Ｎｄ１ｍａｘ−Ｎｄ１ｍｉｎ＞０．１  …（１）
νｄ１ｍａｘ−νｄ１ｍｉｎ＞１５  …（２）
ただし、ｄ線に関する屈折率をＮｄとし、ｄ線に関するアッベ数をνｄとすると、
Ｎｄ１ｍａｘ：第１群内の正レンズのＮｄの最大値、
Ｎｄ１ｍｉｎ：第１群内の正レンズのＮｄの最小値、
νｄ１ｍａｘ：第１群内の正レンズのνｄの最大値、
νｄ１ｍｉｎ：第１群内の正レンズのνｄの最小値、
である。
【００２３】
全長を短くできるテレフォトタイプの望遠レンズでは、負パワーを有する第２群で軸外光束が大きく曲げられるため、第１群を通過する軸外光線高さが比較的高く、周辺照度を確保するために前玉径が大きくなりやすいという問題がある。また、第２群の移動によりフォーカシングを行うと、第２群を通過する軸外光線高さが大きく変動するため、フォーカシングによる軸外収差の変動を抑えることが困難になる。したがって、正のパワーを有する第２群をフォーカス群として用いることにより、フォーカシングによる軸外収差、特に像面湾曲の変動を抑えた設計が容易になる。また、このようにインナーフォーカス方式（内焦式）を採用してフォーカス群の重量を抑えると、オートフォーカスの速度を速めてフォーカス移動時間を抑えることが可能であり、これには、優れた使用感が得られるというメリットやモーターの負荷を軽減できるというメリット等がある。
【００２４】
一般的には、物体側のレンズ群に蛍石等の正の異常部分分散性材料のレンズを用いることにより、色収差を良好に低減することが可能になる。しかし、このような材料は屈折率が低いため、所望のパワーを得ようとするとレンズ面の曲率を強くしなければならなくなる。結果として、球面収差や像面湾曲が発生しやすくなる。また、正レンズと組み合わせていた負レンズも、正レンズの材料が低分散側にシフトしたことに伴って、低分散側にシフトする必要がある。その場合も、必要な色消し条件を満たすためには負レンズのレンズ面の曲率を強くしなければならなくなる。結果として、コマ収差の発生量が増大することになる。
【００２５】
第１群内のレンズを物体側から順に正正正負のパワー配置とし、条件式（１）及び（２）を満たす構成にすれば、色収差を抑える異常分散特性の正レンズを用いつつ、曲率を強くしすぎるすることが無いので、球面収差，コマ収差，像面湾曲等も良好に補正することが可能になる。また、第２群内の最も物体側のレンズを正レンズにすることで、２枚目以降の光線高さを抑えてフォーカス重量を低減する効果が得られる。さらに、第２群内に負レンズを少なくとも１枚有する構成にすれば、第２群単独で色収差を抑えることができるので、フォーカス時の性能も良好に保つ効果が得られる。
【００２６】
上記特徴的構成によると、焦点距離が長く（例えば、１３５換算焦点距離：８０〜１５０）、Ｆ値の明るい（例えば、ＦＮＯ：１．０〜２．０）大口径中望遠レンズでありながら、前玉径とフォーカス群の重量が抑えられ、色収差が良好に補正された小型の撮像レンズ及びそれを備えた撮像光学装置を実現することができる。その撮像レンズ又は撮像光学装置をデジタル機器（例えばデジタルカメラ）に用いることによって、デジタル機器に対して高性能の画像入力機能を軽量・コンパクトに付加することが可能となり、デジタル機器のコンパクト化，低コスト化，高性能化，高機能化等に寄与することができる。例えば、本発明に係る撮像レンズは、デジタルカメラ用・ビデオカメラ用の交換レンズとして好適であるため、持ち運びに便利な軽量・小型の交換レンズを実現することができる。こういった効果をバランス良く得るとともに、更に高い光学性能，軽量・小型化等を達成するための条件等を以下に説明する。
【００２７】
以下の条件式（１ａ）及び（２ａ）を満たすことが望ましく、条件式（１ｂ）及び（２ｂ）を満たすことが更に望ましい。
Ｎｄ１ｍａｘ−Ｎｄ１ｍｉｎ＞０．１５  …（１ａ）
Ｎｄ１ｍａｘ−Ｎｄ１ｍｉｎ＞０．２  …（１ｂ）
νｄ１ｍａｘ−νｄ１ｍｉｎ＞２０  …（２ａ）
νｄ１ｍａｘ−νｄ１ｍｉｎ＞３０  …（２ｂ）
これらの条件式（１ａ），（１ｂ），（２ａ），（２ｂ）は、前記条件式（１），（２）が規定している条件範囲のなかでも、前記観点等に基づいた更に好ましい条件範囲を規定している。したがって、好ましくは条件式（１ａ）及び（２ａ）、更に好ましくは条件式（１ｂ）及び（２ｂ）を満たすことにより、上記効果をより一層大きくすることができる。
【００２８】
以下の条件式（３）を満足することが望ましい。
φ２／φ＞１．０  …（３）
ただし、
φ２：第２群のパワー、
φ：全系のパワー、
である。
【００２９】
条件式（３）は、第２群のパワーに関する好ましい条件範囲を規定している。この条件式（３）の下限を下回ると、第２群のパワーが弱くなってフォーカス移動量が増大する傾向になる。したがって、条件式（３）を満たすことにより、第２群のフォーカス移動量を減少させて、撮像レンズの小型化と収差性能の向上とをバランス良く達成することが可能になる。
【００３０】
以下の条件式（３ａ）を満たすことが望ましく、条件式（３ｂ）を満たすことが更に望ましい。
φ２／φ＞１．２  …（３ａ）
φ２／φ＞１．４  …（３ｂ）
これらの条件式（３ａ），（３ｂ）は、前記条件式（３）が規定している条件範囲のなかでも、前記観点等に基づいた更に好ましい条件範囲を規定している。したがって、好ましくは条件式（３ａ）、更に好ましくは条件式（３ｂ）を満たすことにより、上記効果をより一層大きくすることができる。
【００３１】
以下の条件式（４）及び（５）を満足することが望ましい。
０．１＜φ１／φ＜１．０  …（４）
０＜φ１／φ２＜０．５  …（５）
ただし、
φ１：第１群のパワー、
φ２：第２群のパワー、
φ：全系のパワー、
である。
【００３２】
条件式（４）は、第１群のパワーに関する好ましい条件範囲を規定している。この条件式（４）の下限を下回ると、第１群のパワーが弱くなって全系が大型化する傾向になる。さらに、第２群のレンズ径も大きくなるため、フォーカス重量が増大する傾向になる。条件式（４）の上限を上回ると、相対的に第２群のパワーが弱くなって第２群のフォーカス移動量が増大傾向となる。したがって、条件式（４）を満たすことにより、フォーカス重量とフォーカス移動量を減少させるとともに、撮像レンズの軽量小型化と収差性能の向上とをバランス良く達成することが可能になる。
【００３３】
条件式（５）は、第１群と第２群とのパワー比の好ましい範囲を規定している。条件式（５）の下限を下回ると、第２群のパワーが負になるため、前述したように、前玉径の大型化を招いたり、フォーカシングによる軸外収差変動を抑えることが困難になったりする、といったテレフォトタイプの問題が生じやすくなる。条件式（５）の上限を上回ると、相対的に第２群のパワーが弱くなってフォーカス移動量が増大する傾向になる。つまり、正のパワーを有する第２群をフォーカス群として用いることにより、フォーカシングによる軸外収差、特に像面湾曲の変動を抑えることが容易になる。したがって、条件式（５）を満たすことにより、フォーカス移動量を減少させるとともに、撮像レンズの小型化と収差性能の向上とをバランス良く達成することが可能になる。
【００３４】
以下の条件式（４ａ）及び（５ａ）を満たすことが望ましく、条件式（４ｂ）及び（５ｂ）を満たすことが更に望ましい。
０．２＜φ１／φ＜０．７５  …（４ａ）
０．２＜φ１／φ＜０．５  …（４ｂ）
０＜φ１／φ２＜０．４  …（５ａ）
０．１＜φ１／φ２＜０．３  …（５ｂ）
これらの条件式（４ａ），（４ｂ），（５ａ），（５ｂ）は、前記条件式（４），（５）が規定している条件範囲のなかでも、前記観点等に基づいた更に好ましい条件範囲を規定している。したがって、好ましくは条件式（４ａ）及び（５ａ）、更に好ましくは条件式（４ｂ）及び（５ｂ）を満たすことにより、上記効果をより一層大きくすることができる。
【００３５】
以下の条件式（６）を満足することが望ましい。
Ｄ１Ｇｒ／Ｄ２Ｇｒ＞１．５  …（６）
ただし、Ｆ値を決定する絞りいっぱいに物体側からレンズへ入射する平行光束の直径をＦｎｏ光束径とすると、
Ｄ１Ｇｒ：第１群内の最大Ｆｎｏ光束径、
Ｄ２Ｇｒ：第２群内の最大Ｆｎｏ光束径、
である。
【００３６】
条件式（６）は、第１群と第２群との最大Ｆｎｏ光束径比の好ましい範囲を規定している。条件式（６）の下限を下回ると、第２群のレンズ径が増大してフォーカス重量が増える傾向となる。したがって、条件式（６）を満たすことにより、フォーカス重量を減少させるとともに、撮像レンズの軽量小型化と収差性能の向上とをバランス良く達成することが可能になる。
【００３７】
以下の条件式（６ａ）を満足することが更に望ましい。
Ｄ１Ｇｒ／Ｄ２Ｇｒ＞１．７  …（６ａ）
この条件式（６ａ）は、前記条件式（６）が規定している条件範囲のなかでも、前記観点等に基づいた更に好ましい条件範囲を規定している。したがって、好ましくは条件式（６ａ）を満たすことにより、上記効果をより一層大きくすることができる。
【００３８】
以下の条件式（７）を満足することが望ましい。
１．４＜ＤＧ１Ｆ／ＩＭＧ＜１．８  …（７）
ただし、
ＤＧ１Ｆ：第１レンズの物体側面の有効半径、
ＩＭＧ：イメージサークルの有効半径、
である。
【００３９】
条件式（７）は、像面に結像できる範囲（撮影可能な範囲）を表すイメージサークルの有効径（すなわち有効像円径）に対する第１レンズの物体側有効径の比の好ましい範囲を規定している。条件式（７）の上限を上回ると、前玉径が大きくなりすぎる傾向となり、条件式（７）の下限を下回ると、周辺光量確保が難しくなる傾向となる。その周辺光量を確保するには全長も短くする必要があり、結果として、第１群のパワーが上がってしまうことによって収差（球面収差，像面湾曲等）が悪化する傾向となる。したがって、条件式（７）を満たすことにより、撮像レンズの軽量小型化と収差性能の向上とをバランス良く達成することが可能になる。
【００４０】
前記第２群内に開口絞りを有することが望ましい。第２群内に開口絞りを配置すれば、絞り径を小さくすることができ、フォーカス群の重量を低減することが可能となる。また、フォーカス時の軸外の性能変動（例えば像面湾曲変動）を抑えることも可能となる。
【００４１】
前記第２群の像側に第３群を更に有し、その第３群がフォーカシングに際して位置固定であることが望ましい。フォーカス位置固定の第３群を設けることにより、フォーカス重量を増大させることなく諸収差をコントロールすることが可能となる。
【００４２】
前記第３群内に以下の条件式（８）〜（１０）を満足する接合レンズを含むことが望ましい。
−１．０＜Ｒ３／ｆ＜０  …（８）
ＮＬ３ｐ−ＮＬ３ｎ＞０  …（９）
−２０＜νＬ３ｐ−νＬ３ｎ＜０  …（１０）
ただし、
Ｒ３：接合面の曲率半径、
ｆ：全系の焦点距離、
ＮＬ３ｐ：条件式（８）を満足する接合面を持つ正レンズのｄ線に関する屈折率、
ＮＬ３ｎ：条件式（８）を満足する接合面を持つ負レンズのｄ線に関する屈折率、
νＬ３ｐ：条件式（８）を満足する接合面を持つ正レンズのｄ線に関するアッベ数、
νＬ３ｎ：条件式（８）を満足する接合面を持つ負レンズのｄ線に関するアッベ数、
である。
【００４３】
例えば、条件式（８）を満足する接合面を１面有する３枚接合レンズの場合、その接合面を形成する正レンズと負レンズが条件式（９）及び（１０）を満足することが好ましく、条件式（８）を満足する接合面を２面有する３枚接合レンズの場合、どちらか一方の接合面を形成する正レンズと負レンズが条件式（９）及び（１０）を満足することが好ましい。
【００４４】
条件式（８）〜（１０）は、第３群内に配置する接合レンズに関する好ましい範囲を規定している。条件式（８）を満足する接合面は、物体側に凹面を向けた接合面であって、正レンズの像側面と負レンズの物体側面とからなっている。第３群内に条件式（８）〜（１０）を満足する接合レンズを含む構成によれば、その接合面において、他の収差の変動を抑えつつ球面収差をコントロールして残存球面収差を調整することが容易になる。
【００４５】
以下の条件式（８ａ）〜（１０ａ）を満足することが更に望ましい。
−０．６＜Ｒ３／ｆ＜−０．２  …（８ａ）
ＮＬ３ｐ−ＮＬ３ｎ＞０．０５  …（９ａ）
−１０＜νＬ３ｐ−νＬ３ｎ＜０  …（１０ａ）
この条件式（８ａ）〜（１０ａ）は、前記条件式（８）〜（１０）が規定している条件範囲のなかでも、前記観点等に基づいた更に好ましい条件範囲を規定している。したがって、好ましくは条件式（８ａ）〜（１０ａ）を満たすことにより、上記効果をより一層大きくすることができる。
【００４６】
前記第３レンズと前記第４レンズとで接合レンズが構成されており、以下の条件式（１１）及び（１２）を満足することが望ましい。
ＮＬ１ｐ−ＮＬ１ｎ＞０  …（１１）
−２０＜νＬ１ｐ−νＬ１ｎ＜０  …（１２）
ただし、
ＮＬ１ｐ：第３レンズのｄ線に関する屈折率、
ＮＬ１ｎ：第４レンズのｄ線に関する屈折率、
νＬ１ｐ：第３レンズのｄ線に関するアッベ数、
νＬ１ｎ：第４レンズのｄ線に関するアッベ数、
である。
【００４７】
条件式（１１）及び（１２）は、第１群内に配置する正負の接合レンズに関する好ましい範囲を規定している。第１群内に条件式（１１）及び（１２）を満足する接合レンズを含む構成によれば、第３レンズの像側面と第４レンズの物体側面とからなる接合面において、他の収差の変動を抑えつつコマ収差をコントロールして残存コマ収差を調整することが容易になる。
【００４８】
以下の条件式（１１ａ）及び（１２ａ）を満足することが更に望ましい。
ＮＬ１ｐ−ＮＬ１ｎ＞０．０５  …（１１ａ）
−１０＜νＬ１ｐ−νＬ１ｎ＜０  …（１２ａ）
この条件式（１１ａ），（１２ａ）は、前記条件式（１１），（１２）が規定している条件範囲のなかでも、前記観点等に基づいた更に好ましい条件範囲を規定している。したがって、好ましくは条件式（１１ａ）及び（１２ａ）を満たすことにより、上記効果をより一層大きくすることができる。
【００４９】
前記第１群内の少なくとも１枚の負レンズが以下の条件式（１３）及び（１４）を満足することが望ましい。
（０．６４２５−θｇＦ）／νｄ＞０．００１５  …（１３）
νｄ＜５０  …（１４）
ただし、
θｇＦ：レンズ材料の部分分散比、
θｇＦ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【００５０】
条件式（１３）及び（１４）は、第１群内に配置する少なくとも１枚の負レンズの部分分散比等に関する好ましい範囲を規定している。この構成によると、より一層効果的に色収差を抑えつつ他の収差も抑えることができる。
【００５１】
条件式（１３）及び（１４）を満足するレンズ材料の具体例としては、以下のような硝材が挙げられる。また、以下に記載のない硝材でも同等の光学性能を持つ場合、同様の効果が得られる。
【００５２】
ＨＯＹＡ株式会社製の硝材として、Ｅ−ＦＥＬ１，Ｅ−ＦＥＬ２，Ｅ−ＦＬ５，Ｅ−ＦＬ６，Ｅ−Ｆ２，Ｅ−Ｆ５，ＢＡＦＤ７，ＢＡＦＤ８，ＬＡＦ２，ＮＢＦ１，ＮＢＦＤ３，ＮＢＦＤ１０，ＮＢＦＤ１１，ＮＢＦＤ１３，ＮＢＦＤ１５，ＮＢＦＤ１５−Ｗ，ＴＡＦ１，ＴＡＦ３，ＴＡＦＤ５Ｆ，ＴＡＦＤ２５，ＴＡＦＤ３０，ＴＡＦＤ３３，ＴＡＦＤ３５，ＴＡＦＤ３７，ＴＡＦＤ４５，ＢＡＦ１０，ＢＡＦ１１，Ｅ−ＡＤＦ１０，Ｅ−ＡＤＦ５０，Ｅ−ＢＡＦ８，Ｅ−Ｆ１，Ｅ−Ｆ３，Ｅ−Ｆ８，Ｅ−ＦＥＬ６，ＬＡＦ３，ＮＢＦＤ１２，ＴＡＦ２，ＴＡＦ４，ＴＡＦ５，Ｍ−ＬＡＦ８１，Ｍ−ＮＢＦ１，Ｍ−ＮＢＦＤ１０，Ｍ−ＮＢＦＤ１３０，Ｍ−ＴＡＦ１，Ｍ−ＴＡＦ３１，Ｍ−ＴＡＦ１０１，Ｍ−ＴＡＦ１０５，Ｍ−ＴＡＦ４０１，ＭＰ−ＴＡＦ４０１，Ｍ−ＴＡＦＤ５１，Ｍ−ＴＡＦＤ３０５，Ｍ−ＴＡＦＤ３０７が挙げられる。
【００５３】
株式会社オハラ製の硝材として、Ｓ−ＢＳＭ２８，Ｓ−ＢＡＭ  ３，Ｓ−ＢＡＭ  ４，Ｓ−ＢＡＭ１２，Ｓ−ＢＡＨ１０，Ｓ−ＢＡＨ１１，Ｓ−ＢＡＨ２７，Ｓ−ＢＡＨ２８，Ｓ−ＢＡＨ３２，Ｓ−ＴＩＬ  １，Ｓ−ＴＩＬ  ２，Ｓ−ＴＩＬ  ６，Ｓ−ＴＩＬ２５，Ｓ−ＴＩＬ２６，Ｓ−ＴＩＬ２７，Ｓ−ＴＩＭ  ２，Ｓ−ＴＩＭ  ３，Ｓ−ＴＩＭ  ５，Ｓ−ＴＩＭ  ８，Ｓ−ＬＡＭ  ２，Ｓ−ＬＡＭ  ３，Ｓ−ＬＡＭ  ７，Ｓ−ＬＡＭ５１，Ｓ−ＬＡＭ５２，Ｓ−ＬＡＭ５４，Ｓ−ＬＡＭ５５，Ｓ−ＬＡＭ５８，Ｓ−ＬＡＭ５９，Ｓ−ＬＡＭ６０，Ｓ−ＬＡＭ６１，Ｓ−ＬＡＭ６６，Ｓ−ＬＡＨ５１，Ｓ−ＬＡＨ５２，Ｓ−ＬＡＨ５３，Ｓ−ＬＡＨ５５Ｖ，Ｓ−ＬＡＨ５８，Ｓ−ＬＡＨ５９，Ｓ−ＬＡＨ６０，Ｓ−ＬＡＨ６３，Ｓ−ＬＡＨ６４，Ｓ−ＬＡＨ６５Ｖ，Ｓ−ＬＡＨ６６，Ｓ−ＬＡＨ７１，Ｓ−ＬＡＨ７９，Ｓ−ＬＡＨ８８，Ｓ−ＬＡＨ８９，Ｓ−ＬＡＨ９２，Ｓ−ＮＢＭ５１，Ｓ−ＮＢＨ  ５，Ｓ−ＮＢＨ  ８，Ｓ−ＮＢＨ５１，Ｓ−ＮＢＨ５２，Ｓ−ＮＢＨ５３，Ｌ−ＬＡＭ６０，Ｌ−ＬＡＭ６９，Ｌ−ＬＡＨ５３，Ｌ−ＬＡＨ８４，Ｌ−ＬＡＨ８５Ｖ，Ｌ−ＬＡＨ８６，Ｌ−ＬＡＨ９０，Ｌ−ＬＡＨ９１が挙げられる。
【００５４】
光ガラス株式会社製の硝材として、Ｊ−ＫＺＦＨ１，Ｊ−ＢＡＦ３，Ｊ−ＢＡＦ４，Ｊ−ＢＡＦ８，Ｊ−ＢＡＦ１０，Ｊ−ＢＡＦ１１，Ｊ−ＢＡＦ１２，Ｊ−ＢＡＳＦ６，Ｊ−ＢＡＳＦ７，Ｊ−ＢＡＳＦ８，Ｊ−ＳＳＫ８，Ｊ−ＬＬＦ１，Ｊ−ＬＬＦ２，Ｊ−ＬＬＦ６，Ｊ−ＬＦ５，Ｊ−ＬＦ６，Ｊ−ＬＦ７，Ｊ−Ｆ１，Ｊ−Ｆ２，Ｊ−Ｆ３，Ｊ−Ｆ５，Ｊ−Ｆ８，Ｊ−ＬＡＦ２，Ｊ−ＬＡＦ３，Ｊ−ＬＡＦ７，Ｊ−ＬＡＦ０１，Ｊ−ＬＡＦ０２，Ｊ−ＬＡＦ０４，Ｊ−ＬＡＦ０５，Ｊ−ＬＡＦ０９，Ｊ−ＬＡＦ０１０，Ｊ−ＬＡＦ０１６，Ｊ−ＬＡＳＦ０１，Ｊ−ＬＡＳＦ０２，Ｊ−ＬＡＳＦ０３，Ｊ−ＬＡＳＦ０５，Ｊ−ＬＡＳＦ０８，Ｊ−ＬＡＳＦ０９，Ｊ−ＬＡＳＦ０１０，Ｊ−ＬＡＳＦ０１３，Ｊ−ＬＡＳＦ０１４，Ｊ−ＬＡＳＦ０１５，Ｊ−ＬＡＳＦ０１６，Ｊ−ＬＡＳＦ０１７，Ｊ−ＬＡＳＦＨ２，Ｊ−ＬＡＳＦＨ６，Ｊ−ＬＡＳＦＨ９，Ｊ−ＬＡＳＦＨ１３が挙げられる。
【００５５】
以下の条件式（１４ａ）を満足することが更に望ましい。
νｄ＜４０  …（１４ａ）
この条件式（１４ａ）は、前記条件式（１４）が規定している条件範囲のなかでも、前記観点等に基づいた更に好ましい条件範囲を規定している。したがって、好ましくは条件式（１４ａ）を満たすことにより、上記効果をより一層大きくすることができる。
【００５６】
以下の条件式（１５）を満足することが望ましい。
−０．６＜φ３／φ＜０．６  …（１５）
ただし、
φ３：第３群のパワー、
φ：全系のパワー、
である。
【００５７】
条件式（１５）は、第３群のパワーに関する好ましい条件範囲を規定している。この条件式（１５）の範囲内に第３群のパワーを設定すれば、第３群のパワーが小さくなるので収差の発生が抑えられる。したがって、第３群単独で球面収差を抑える効果（つまり、他の収差の変動を抑えつつ球面収差をコントロールして残存球面収差を容易に調整できるという効果）を最大限得ることができる。
【００５８】
以下の条件式（１５ａ）を満たすことが望ましく、条件式（１５ｂ）を満たすことが更に望ましい。
−０．４＜φ３／φ＜０．４  …（１５ａ）
−０．２＜φ３／φ＜０．２  …（１５ｂ）
これらの条件式（１５ａ），（１５ｂ）は、前記条件式（１５）が規定している条件範囲のなかでも、前記観点等に基づいた更に好ましい条件範囲を規定している。したがって、好ましくは条件式（１５ａ）、更に好ましくは条件式（１５ｂ）を満たすことにより、上記効果をより一層大きくすることができる。
【００５９】
前記第２群内に負レンズを１枚のみ含むことが望ましい。第２群内に含まれる負レンズを１枚のみとすることにより、フォーカス重量を効果的に抑えることができる。
【００６０】
本発明に係る撮像レンズは、画像入力機能付きデジタル機器（例えば、レンズ交換式デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器を実現することができる。
【００６１】
画像入力機能付きデジタル機器の例としては、デジタルカメラ，ビデオカメラ，監視カメラ，防犯カメラ，車載カメラ，テレビ電話用カメラ等のカメラが挙げられる。また、パーソナルコンピューター，携帯用デジタル機器（例えば、携帯電話，スマートフォン（高機能携帯電話），タブレット端末，モバイルコンピューター等），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００６２】
図１６に、画像入力機能付きデジタル機器の一例として、デジタル機器ＤＵの概略構成例を模式的断面で示す。図１６に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、撮像レンズＬＮにより受光面（撮像面）ＳＳ上に形成された光学像ＩＭを電気的な信号に変換する撮像素子ＳＲと、を備えており、必要に応じて平行平面板（例えば、撮像素子ＳＲのカバーガラス；必要に応じて配置される光学的ローパスフィルター，赤外カットフィルター等の光学フィルター等に相当する。）も配置される。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱可能又は回動可能に構成することが可能である。
【００６３】
撮像レンズＬＮは、３群構成の撮像レンズであり、第１群と第３群の位置を固定した状態で正パワーの第２群を光軸ＡＸに沿って物体側に移動させることにより、無限遠から近距離へのフォーカシングを行うインナーフォーカス方式を採用しており、撮像素子ＳＲの受光面ＳＳ上に光学像ＩＭを形成する構成になっている。撮像素子ＳＲとしては、例えば複数の画素を有するＣＣＤ型イメージセンサー，ＣＭＯＳ型イメージセンサー等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【００６４】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００６５】
次に、撮像レンズＬＮの第１〜第５の実施の形態を挙げて、その具体的な光学構成を更に詳しく説明する。図１〜図５は、第１〜第５の実施の形態を構成する撮像レンズＬＮにそれぞれ対応するレンズ構成図であり、第１フォーカスポジションＰＯＳ１（被写体無限遠状態）でのレンズ配置を光学断面で示している。第１，第２，第４の実施の形態は正正正の３群構成、第３，第５の実施の形態は正正負の３群構成になっており、フォーカシング時には、第１群Ｇｒ１及び第３群Ｇｒ３の位置を固定した状態で第２群Ｇｒ２が光軸ＡＸに沿って物体側に移動する。つまり、フォーカス群である第２群Ｇｒ２が、無限遠から近距離へのフォーカシングにおいて第１フォーカスポジションＰＯＳ１から第２フォーカスポジションＰＯＳ２（被写体近距離状態）へと、矢印ｍＦで示すように物体側へ移動する。
【００６６】
第１〜第３の実施の形態では、第１群Ｇｒ１が、物体側から順に、正パワーを有する第１レンズＬ１１と、正パワーを有する第２レンズＬ１２と、正パワーを有する第３レンズＬ１３と、負パワーを有する第４レンズＬ１４と、で構成されている（第１〜第４レンズＬ１１〜Ｌ１４のパワー配置：正正正負）。第４の実施の形態では、第１群Ｇｒ１が、物体側から順に、正パワーを有する第１レンズＬ１１と、正パワーを有する第２レンズＬ１２と、正パワーを有する第３レンズＬ１３と、負パワーを有する第４レンズＬ１４と、負パワーを有する第５レンズＬ１５と、で構成されている（第１〜第５レンズＬ１１〜Ｌ１５のパワー配置：正正正負負）。第５の実施の形態では、第１群Ｇｒ１が、物体側から順に、正パワーを有する第１レンズＬ１１と、正パワーを有する第２レンズＬ１２と、正パワーを有する第３レンズＬ１３と、負パワーを有する第４レンズＬ１４と、正パワーを有する第５レンズＬ１５と、で構成されている（第１〜第５レンズＬ１１〜Ｌ１５のパワー配置：正正正負正）。
【００６７】
第１，第３〜第５の実施の形態では、第３レンズＬ１３と第４レンズＬ１４とで接合レンズが構成されている。第１〜第５の実施の形態では、第２群Ｇｒ２を構成するレンズのうち、最も物体側のレンズＬ２１が正レンズであり、負レンズは両凹の負レンズＬ２２の１枚のみである。第１〜第５の実施の形態では、第２群Ｇｒ２内のレンズＬ２１とレンズＬ２２と間に開口絞りＳＴが配置されている。第１〜第４の実施の形態では、第３群Ｇｒ３内に正レンズＬ３１と負レンズＬ３２とからなる接合レンズが含まれており、第５の実施の形態では、第３群Ｇｒ３が負レンズＬ３１と正レンズＬ３２と負レンズＬ３３とからなる接合レンズ１枚で構成されている。
【００６８】
第１の実施の形態の撮像レンズＬＮ（図１）において、各群は物体側から順に以下のように構成されている。第１群Ｇｒ１は、２枚の物体側に凸の正メニスカスレンズＬ１１，Ｌ１２と、両凸の正レンズＬ１３及び両凹の負レンズＬ１４からなる接合レンズと、で構成されている。第２群Ｇｒ２は、物体側に凸の正メニスカスレンズＬ２１と、開口絞りＳＴと、両凹の負レンズＬ２２と、両凸の正レンズＬ２３と、両凸の正レンズＬ２４（両面非球面）と、で構成されている。第３群Ｇｒ３は、像側に凸の正メニスカスレンズＬ３１及び両凹の負レンズＬ３２からなる接合レンズと、両凸の正レンズＬ３３と、で構成されている。
【００６９】
第２の実施の形態の撮像レンズＬＮ（図２）において、各群は物体側から順に以下のように構成されている。第１群Ｇｒ１は、３枚の物体側に凸の正メニスカスレンズＬ１１，Ｌ１２，Ｌ１３と、像側に凹の負メニスカスレンズＬ１４と、で構成されている。第２群Ｇｒ２は、物体側に凸の正メニスカスレンズＬ２１と、開口絞りＳＴと、両凹の負レンズＬ２２と、２枚の両凸の正レンズＬ２３，Ｌ２４と、で構成されている。第３群Ｇｒ３は、像側に凸の正メニスカスレンズＬ３１及び両凹の負レンズＬ３２からなる接合レンズと、物体側に凸の正メニスカスレンズＬ３３と、で構成されている。
【００７０】
第３の実施の形態の撮像レンズＬＮ（図３）において、各群は物体側から順に以下のように構成されている。第１群Ｇｒ１は、２枚の物体側に凸の正メニスカスレンズＬ１１，Ｌ１２と、両凸の正レンズＬ１３及び両凹の負レンズＬ１４からなる接合レンズと、で構成されている。第２群Ｇｒ２は、物体側に凸の正メニスカスレンズＬ２１と、開口絞りＳＴと、両凹の負レンズＬ２２と、両凸の正レンズＬ２３と、両凸の正レンズＬ２４（両面非球面）と、で構成されている。第３群Ｇｒ３は、像側に凸の正メニスカスレンズＬ３１及び両凹の負レンズＬ３２からなる接合レンズと、両凸の正レンズＬ３３と、で構成されている。
【００７１】
第４の実施の形態の撮像レンズＬＮ（図４）において、各群は物体側から順に以下のように構成されている。第１群Ｇｒ１は、２枚の物体側に凸の正メニスカスレンズＬ１１，Ｌ１２と、物体側に凸の正メニスカスレンズＬ１３及び像側に凹の負メニスカスレンズＬ１４からなる接合レンズと、像側に凹の負メニスカスレンズＬ１５と、で構成されている。第２群Ｇｒ２は、物体側に凸の正メニスカスレンズＬ２１と、開口絞りＳＴと、両凹の負レンズＬ２２と、２枚の両凸の正レンズＬ２３，Ｌ２４と、で構成されている。第３群Ｇｒ３は、像側に凸の正メニスカスレンズＬ３１及び両凹の負レンズＬ３２からなる接合レンズと、両凸の正レンズＬ３３と、で構成されている。
【００７２】
第５の実施の形態の撮像レンズＬＮ（図５）において、各群は物体側から順に以下のように構成されている。第１群Ｇｒ１は、２枚の物体側に凸の正メニスカスレンズＬ１１，Ｌ１２と、両凸の正レンズＬ１３及び両凹の負レンズＬ１４からなる接合レンズと、物体側に凸の正メニスカスレンズＬ１５と、で構成されている。第２群Ｇｒ２は、物体側に凸の正メニスカスレンズＬ２１（両面非球面）と、開口絞りＳＴと、両凹の負レンズＬ２２と、２枚の両凸の正レンズＬ２３，Ｌ２４と、で構成されている。第３群Ｇｒ３は、両凹の負レンズＬ３１，両凸の正レンズＬ３２及び物体側に凹の負メニスカスレンズＬ３３からなる接合レンズと、で構成されている。
【実施例】
【００７３】
以下、本発明を実施した撮像レンズの構成等を、実施例のコンストラクションデータ等を挙げて更に具体的に説明する。ここで挙げる実施例１〜５（ＥＸ１〜５）は、前述した第１〜第５の実施の形態にそれぞれ対応する数値実施例であり、第１〜第５の実施の形態を表すレンズ構成図（図１〜図５）は、対応する実施例１〜５の光学構成をそれぞれ示している。
【００７４】
各実施例のコンストラクションデータでは、面データとして、左側の欄から順に、面番号ｉ（ＯＢ：物面，ＳＴ：絞り面，ＩＭ：像面），近軸における曲率半径ｒ（ｍｍ），軸上面間隔ｄ（ｍｍ），ｄ線（波長：５８７．５６ｎｍ）に関する屈折率Ｎｄ，及びｄ線に関するアッベ数νｄを示す。なお、フォーカシングにより変化する可変の軸上面間隔ｄｉ（ｉ：面番号，ｍｍ）に関しては、第１フォーカスポジションＰＯＳ１〜第２フォーカスポジションＰＯＳ２のそれぞれについて示す。
【００７５】
面番号ｉに＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒの逆数）、
Ｋ：円錐定数、
Ａｊ：ｊ次の非球面係数、
である。
【００７６】
各種データとして、全系の焦点距離ｆ（ｍｍ，１３５換算値＝ｆ×２１．６／ｙ’ｍａｘ），Ｆナンバー（Ｆ値）ＦＮＯ．，全画角２ω（°），最大像高ｙ’ｍａｘ（ｍｍ），レンズ全長ＴＬ（ｍｍ），バックフォーカスＢＦ（ｍｍ），第１群Ｇｒ１の焦点距離ｆ１（ｍｍ），第２群Ｇｒ２の焦点距離ｆ２（ｍｍ），第３群Ｇｒ３の焦点距離ｆ３（ｍｍ），第１群Ｇｒ１内の最大Ｆｎｏ光束径Ｄ１Ｇｒ（ｍｍ），第２群Ｇｒ２内の最大Ｆｎｏ光束径Ｄ２Ｇｒ（ｍｍ），第１レンズＬ１１の物体側面の有効半径ＤＧ１Ｆ（ｍｍ），イメージサークルの有効半径ＩＭＧ（ｍｍ），及び第１群Ｇｒ１内の負レンズの部分分散比θｇＦを示す。ただし、バックフォーカスＢＦは、レンズ最終面から近軸像面までの距離を空気換算長により表記しており、レンズ全長ＴＬは、レンズ最前面からレンズ最終面までの距離にバックフォーカスＢＦを加えたものである。また、表１に各実施例の条件式対応値を示す。
【００７７】
図６〜図１０は、実施例１〜実施例５（ＥＸ１〜ＥＸ５）にそれぞれ対応する縦収差図であり、（Ａ）〜（Ｃ）は第１フォーカスポジションＰＯＳ１、（Ｄ）〜（Ｆ）は第２フォーカスポジションＰＯＳ２における諸収差をそれぞれ示している。また、図６〜図１０中、（Ａ）と（Ｄ）は球面収差図、（Ｂ）と（Ｅ）は非点収差図、（Ｃ）と（Ｆ）は歪曲収差図である。
【００７８】
球面収差図は、一点鎖線で示すＣ線（波長６５６．２８ｎｍ）に対する球面収差量、実線で示すｄ線（波長５８７．５６ｎｍ）に対する球面収差量、破線で示すｇ線（波長４３５．８４ｎｍ）に対する球面収差量を、それぞれ近軸像面からの光軸ＡＸ方向のズレ量（ｍｍ）で表しており、縦軸はＦ値を表している。非点収差図において、破線Ｍはｄ線に対するメリディオナル像面、実線Ｓはｄ線に対するサジタル像面を、それぞれ近軸像面からの光軸ＡＸ方向のズレ量（ｍｍ）で表しており、縦軸は像高Ｙ’（ｍｍ）を表している。歪曲収差図において、横軸はｄ線に対する歪曲（％）を表しており、縦軸は像高Ｙ’（ｍｍ）を表している。なお、像高Ｙ’は像面ＩＭにおける最大像高ｙ’ｍａｘ（撮像素子ＳＲの受光面ＳＳの対角長の半分）に相当する。
【００７９】
図１１〜図１５は、実施例１〜実施例５（ＥＸ１〜ＥＸ５）にそれぞれ対応する横収差図である。図１１〜図１５のそれぞれにおいて、（Ａ）〜（Ｃ）は第１フォーカスポジションＰＯＳ１における横収差（ｍｍ）、（Ｄ）〜（Ｆ）は第２フォーカスポジションＰＯＳ２における横収差（ｍｍ）を、各像高Ｙ’のメリディオナルコマ収差について示している。
【００８０】
実施例１
単位：mm
面データ
i            r(mm)      d(mm)         Nd        νd
0(OB)           ∞         ∞ 〜414.98
1           53.755       3.93     1.67790      50.7
2          350.142       0.09
3           22.513       6.50     1.57300      66.2
4           57.815       1.37
5           69.005       5.29     1.80520      25.5
6         -666.360       1.37     1.68890      31.2
7           15.095       9.37 〜3.48
8           17.134       1.75      1.8348      42.7
9           22.970       3.00
10(ST)          ∞       2.54
11         -33.605       0.70     1.69890      30.1
12          23.715       3.06
13          40.309       2.50     1.80420      46.5
14        -142.127       0.09
15*         47.035       3.50     1.72920      54.7
16*        -39.742       1.22 〜7.11
17         -44.803       2.21     1.80810      22.8
18         -21.006       1.15     1.68890      31.2
19          28.815       1.32
20          47.925       3.08     1.87350      38.5
21         -48.505      19.67
22(IM)          ∞
【００８１】
非球面データ
第15面
K= 0.00000E+00
A4=-0.11123E-04
A6=-0.44679E-07
A8= 0.50592E-09
A10=-0.78074E-11
【００８２】
非球面データ
第16面
K= 0.00000E+00
A4=-0.48511E-05
A6=-0.24615E-07
A8= 0.66312E-11
A10=-0.46542E-11
【００８３】
各種データ
f    =  51.46
FNO. =   1.45
2ω  =  23.76
y'max=   10.8
TL   =  72.67
BF   =  19.67
f1   =  145.0
f2   =   35.9
f3   =  364.8
D1Gr =   35.5(第1面)
D2Gr =   19.6(第8面)
DG1F =   18.4
IMG  =   10.8
θgF =    0.599(L14)
【００８４】
実施例２
単位：mm
面データ
i            r(mm)      d(mm)         Nd        νd
0(OB)           ∞         ∞ 〜364.78
1           34.147       6.04     1.72920      54.7
2          156.973       0.09
3           25.518       5.25     1.49700      81.6
4           48.788       2.55
5           90.036       3.78     1.48750      70.4
6          165.925       0.45
7          144.500       1.40     1.63980      34.6
8           15.362      11.08 〜4.35
9           29.365       1.70     1.83480      42.7
10          67.786       1.50
11(ST)          ∞       2.45
12         -22.171       0.70     1.69890      30.1
13          31.585       2.73
14         288.292       2.81     1.80610      33.3
15         -46.685       0.09
16          46.842       4.47     1.72920      54.7
17         -29.823       0.94 〜7.67
18        -373.884       3.48     1.80520      25.5
19         -22.010       1.15     1.72820      28.3
20          22.039       1.25
21          28.059       2.74     1.91080      35.3
22         598.454      19.31
23(IM)          ∞
【００８５】
各種データ
f    =  51.48
FNO. =   1.45
2ω  =  23.88
y'max=   10.8
TL   =  75.98
BF   =  19.31
f1   =  161.0
f2   =   33.1
f3   = 2095.5
D1Gr =   35.5(第1面)
D2Gr =   19.6(第17面)
DG1F =   18.3
IMG  =   10.8
θgF =    0.592(L14)
【００８６】
実施例３
単位：mm
面データ
i            r(mm)      d(mm)         Nd        νd
0(OB)           ∞         ∞ 〜414.98
1           30.472       5.79     1.61800      63.4
2          108.887       0.09
3           22.612       6.50     1.49700      81.6
4           71.822       1.42
5          113.717       2.77     1.90370      31.3
6         -419.470       1.25     1.65410      39.7
7           14.722       9.28 〜4.18
8           19.978       1.65     1.83480      42.7
9           28.826       2.50
10(ST)          ∞       3.04
11         -24.932       0.75     1.69890      30.1
12          30.794       2.61
13          45.216       2.50     1.80420      46.5
14         -74.605       0.09
15*         63.820       3.45     1.74320      49.3
16*        -32.854       1.18 〜6.31
17         -32.560       1.76     1.95370      32.3
18         -20.560       1.15     1.64770      33.8
19          39.391       1.28
20         116.615       3.89     1.91080      35.3
21         -46.086      19.70
22(IM)          ∞
【００８７】
非球面データ
第15面
K= 0.00000E+00
A4=-0.93344E-05
A6= 0.58978E-07
A8= 0.10523E-09
【００８８】
非球面データ
第16面
K=-0.77799E-01
A4= 0.21185E-05
A6= 0.55563E-07
【００８９】
各種データ
f    =  51.45
FNO. =   1.45
2ω  =  23.76
y'max=   10.8
TL   =  72.67
BF   =  19.70
f1   =  136.4
f2   =   32.9
f3   =-2137.9
D1Gr =   35.5(第1面)
D2Gr =   19.6(第8面)
DG1F =   17.8
IMG  =   10.8
θgF =    0.574(L14)
【００９０】
実施例４
単位：mm
面データ
i            r(mm)      d(mm)         Nd        νd
0(OB)           ∞         ∞ 〜364.78
1           33.464       5.06     1.80450      45.5
2           85.716       0.09
3           37.837       2.20     1.83810      42.7
4           47.721       0.09
5           24.052       5.44     1.49700      81.6
6           65.150       1.25     1.60340      38.0
7           27.016       2.40
8           41.362       1.25     1.74580      27.5
9           16.149      10.81 〜3.61
10          26.423       1.57     1.83480      42.7
11          47.386       1.82
12(ST)          ∞       3.06
13         -25.777       0.70     1.69890      30.1
14          36.085       2.13
15         128.492       2.49     1.80610      33.3
16         -56.272       0.09
17          46.544       4.24     1.72920      54.7
18         -36.939       0.98 〜8.18
19         -43.992       1.90     1.90370      31.3
20         -22.851       1.15     1.64770      33.8
21          28.683       1.25
22          41.944       2.78     1.91080      35.3
23         -85.981      20.44
24(IM)          ∞
【００９１】
各種データ
f    =  52.25
FNO. =   1.45
2ω  =  23.52
y'max=   10.8
TL   =  73.19
BF   =  20.44
f1   =  152.7
f2   =   36.3
f3   =  429.5
D1Gr =   36.0(第1面)
D2Gr =   19.7(第10面)
DG1F =   19.4
IMG  =   10.8
θgF =    0.583(L14)
【００９２】
実施例５
単位：mm
面データ
i            r(mm)      d(mm)         Nd        νd
0(OB)           ∞         ∞ 〜414.98
1           29.454       5.85     1.61800      63.4
2           88.264       0.09
3           28.490       5.74     1.49700      81.6
4          125.746       1.36
5          173.734       2.81     1.80810      22.8
6         -136.555       1.25     1.69890      30.1
7           14.785       1.21
8           15.391       3.29     1.80810      22.8
9           18.264       8.72 〜2.72
10*         17.718       1.80     1.74320      49.3
11*         23.185       2.57
12(ST)          ∞       3.05
13         -32.405       0.70     1.75520      27.5
14          30.415       2.09
15          57.491       2.60     1.83480      42.7
16         -52.541       0.09
17         185.151       2.60     1.89190      37.1
18         -34.923       1.25 〜7.25
19         -35.396       1.15     1.68890      31.2
20         229.095       3.48     1.88300      40.8
21         -23.024       1.15     1.58140      40.9
22        -129.976      20.40
23(IM)          ∞
【００９３】
非球面データ
第10面
K= 0.00000E+00
A4=-0.26752E-05
A6= 0.65045E-08
A8=-0.96869E-08
A10= 0.14711E-09
A12=-0.15144E-11
A14= 0.48148E-14
【００９４】
非球面データ
第11面
K= 0.00000E+00
A4= 0.17164E-04
A6=-0.23747E-06
A8=-0.40655E-08
A10= 0.67655E-10
A12=-0.11248E-11
A14= 0.47608E-14
【００９５】
各種データ
f    =  51.45
FNO. =   1.45
2ω  =   23.9
y'max=   10.8
TL   =  73.26
BF   =  20.40
f1   =  138.0
f2   =   35.9
f3   =-5499.3
D1Gr =   35.5(第1面)
D2Gr =   19.4(第10面)
DG1F =   18.1
IMG  =   10.8
θgF =    0.603(L14)
【００９６】
【表１】
2016212288.tif 000003
【符号の説明】
【００９７】
ＤＵ    デジタル機器
ＬＵ    撮像光学装置
ＬＮ    撮像レンズ
Ｇｒ１    第１群
Ｇｒ２    第２群
Ｇｒ３    第３群
Ｌ１１，Ｌ１２，Ｌ１３，Ｌ１４    レンズ（第１〜第４レンズ）
ＳＴ    開口絞り（絞り面）
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
2016212288.tif 000004
【図２】
2016212288.tif 000005
【図３】
2016212288.tif 000006
【図４】
2016212288.tif 000007
【図５】
2016212288.tif 000008
【図６】
2016212288.tif 000009
【図７】
2016212288.tif 000010
【図８】
2016212288.tif 000011
【図９】
2016212288.tif 000012
【図１０】
2016212288.tif 000013
【図１１】
2016212288.tif 000014
【図１２】
2016212288.tif 000015
【図１３】
2016212288.tif 000016
【図１４】
2016212288.tif 000017
【図１５】
2016212288.tif 000018
【図１６】
2016212288.tif 000019